(57)【要約】【課題】異なる店舗で物品を購入した場合の物品購入者の負担を軽減させる手段を提供する。【解決手段】旅券および購入物品の明細書の画像を読取る読取部と、前記読取部で読み取った前記旅券の画像から購入者情報を抽出し、前記読取部で読み取った複数の前記明細書からそれぞれの購入物品情報を抽出する抽出部と、前記抽出部が抽出したそれぞれの購入物品情報を集計する集計部と、前記抽出部が抽出した購入者情報および前記集計部で集計された購入物品情報に基づいて購入記録票の印刷データを生成する編集部と、前記編集部が生成した印刷データに基づいて購入記録票を印刷する印刷部と、を有する。【選択図】        図１
2018018135.tif 000002
【特許請求の範囲】
【請求項１】
旅券および購入物品の明細書の画像を読取る読取部と、
前記読取部で読み取った前記旅券の画像から購入者情報を抽出し、前記読取部で読み取った複数の前記明細書からそれぞれの購入物品情報を抽出する抽出部と、
前記抽出部が抽出したそれぞれの購入物品情報を集計する集計部と、
前記抽出部が抽出した購入者情報および前記集計部で集計された購入物品情報に基づいて購入記録票の印刷データを生成する編集部と、
前記編集部が生成した印刷データに基づいて購入記録票を印刷する印刷部と、
を有することを特徴とする画像形成装置。
【請求項２】
請求項１に記載の画像形成装置において、
前記購入物品情報は、購入日情報、販売店識別情報および購入物品区分情報を含み、
前記集計部は、前記購入日情報、前記販売店識別情報、および購入物品区分情報毎に、前記集計を行うことを特徴とする画像形成装置。
【請求項３】
請求項２に記載の画像形成装置において、
さらに、前記購入物品情報は、販売価額の情報を含み、
前記集計部は、前記販売価額の合計価額を算出することを特徴とする画像形成装置。
【請求項４】
請求項１から請求項３のいずれかに記載の画像形成装置において、
前記編集部は、前記抽出部が抽出した購入者情報および前記集計部で集計された購入物品情報に基づいて購入者誓約書の印刷データを生成し、
前記印刷部は、前記編集部が生成した印刷データに基づいて購入者誓約書を印刷することを特徴とする画像形成装置。
【請求項５】
請求項１から請求項４のいずれかに記載の画像形成装置において、
前記購入者情報は、旅券の種類、番号、在留資格、国籍、上陸年月日、姓名、生年月日の情報を含むことを特徴とする画像形成装置。
【請求項６】
請求項１から請求項５のいずれかに記載の画像形成装置において、
前記抽出部は、前記明細書に印刷された２次元コードから購入物品情報を抽出することを特徴とする画像形成装置。
【請求項７】
請求項１から請求項６のいずれかに記載の画像形成装置において、
前記読取部は、原稿読取台に載置された旅券および複数の明細書の画像を読取ることを特徴とする画像形成装置。
【発明の詳細な説明】
【技術分野】
【０００１】
本発明は、免税書類を印刷する画像形成装置に関する。
【背景技術】
【０００２】
従来の画像形成装置は、上陸許可証に表示された２次元コードを読取り、読取った情報の中から旅券番号や上陸年月日等の情報を取り出して購入記録票を印刷装置で印刷するようにしている（例えば、特許文献１参照）。
【先行技術文献】
【特許文献】
【０００３】
【特許文献１】特開２０１４−３２４４１号公報
【発明の概要】
【発明が解決しようとする課題】
【０００４】
しかしながら、従来の技術においては、非居住者である物品購入者が異なる店舗で物品を購入した場合、品名や販売価額等を記載した明細書（レシート）等を購入記録票に貼付し、割印をする必要があり、物品購入者に負担がかかってしまうという問題がある。
【０００５】
本発明は、このような問題を解決することを課題とし、異なる店舗で物品を購入した場合の物品購入者の負担を軽減させることを目的とする。
【課題を解決するための手段】
【０００６】
そのため、本発明は、旅券および購入物品の明細書の画像を読取る読取部と、前記読取部で読み取った前記旅券の画像から購入者情報を抽出し、前記読取部で読み取った複数の前記明細書からそれぞれの購入物品情報を抽出する抽出部と、前記抽出部が抽出したそれぞれの購入物品情報を集計する集計部と、前記抽出部が抽出した購入者情報および前記集計部で集計された購入物品情報に基づいて購入記録票の印刷データを生成する編集部と、前記編集部が生成した印刷データに基づいて購入記録票を印刷する印刷部と、を有することを特徴とする。
【発明の効果】
【０００７】
このようにした本発明は、異なる店舗で物品を購入した場合の物品購入者の負担を軽減させることができるという効果が得られる。
【図面の簡単な説明】
【０００８】
【図１】実施例におけるＭＦＰの構成を示すブロック図
【図２】実施例におけるＭＦＰの動作の説明図
【図３】実施例における書類の載置位置の説明図
【図４】実施例における購入者情報の説明図
【図５】実施例における購入物品情報の説明図
【図６】実施例における購入物品集計情報の説明図
【図７】実施例におけるＭＦＰの処理の流れを示すフローチャート
【図８】実施例における購入者情報格納処理の流れを示すフローチャート
【図９】実施例における購入物品情報格納処理の流れを示すフローチャート
【図１０】実施例における印刷データ編集処理の流れを示すフローチャート
【図１１】実施例における操作パネルの説明図
【図１２】免税手続きの流れを示す説明図
【発明を実施するための形態】
【０００９】
以下、図面を参照して本発明による画像形成装置の実施例を説明する。
【実施例】
【００１０】
まず、免税手続きの流れを図１２の免税手続きの流れを示す説明図の図中Ｓで表すステップに従って説明する。なお、図１２は一般的な免税手続きの説明であり、本発明を適用したものではない。
Ｓ１：購入者（非居住者）は免税店（販売店）で物品を購入する。このとき、免税店のＰＯＳレジスタ等は、購入物品の明細書（以下、「レシート」という。）を発行する。
【００１１】
発行されるレシートには、２次元コードが印刷されている。その２次元コードは、レシートに記載された、購入物品情報として販売店氏名／名称、販売場所在地、購入年月日、納税地、所轄税務署、消耗品および一般物品のそれぞれの品名、単価、数量、販売価額の情報をコード化したものである。
【００１２】
なお、本実施例では、購入者は、免税店Ａおよび免税店Ｂにおいて物品を購入し、免税店Ａおよび免税店Ｂのそれぞれから発行されたレシートを受け取っているものとする。
【００１３】
Ｓ２：購入者は、免税手続きカウンターに、購入物品（レシート）等の提示、および旅券（パスポート）等の提示を行う。
Ｓ３：免税手続きカウンターでは、「購入記録票」の作成が行われる。
【００１４】
Ｓ４：購入者は、免税手続きカウンターに、「購入者誓約書」を提出する。
Ｓ５：免税手続きカウンターでは、旅券に「購入記録票」を貼付、割印し、その旅券が購入者に渡される。
【００１５】
Ｓ６：免税手続きカウンターでは、購入者に免税品の引渡しが行われる。
Ｓ７：免税手続きカウンターでは、購入者に消費税相当額の返金が行われる。
購入者は、免税購入物品の国外への輸出を行うとともに、「購入記録票」を税務署に提出する。
【００１６】
次に、免税手続きカウンターに設置されたＭＦＰの動作の流れを図２の実施例におけるＭＦＰの動作の説明図の図中Ｓで表すステップに従って説明する。
Ｓ１１：免税手続きカウンターの担当者は、購入者から受け取った旅券および複数のレシートを複合機としてのＭＦＰ１０のフラットベッドに載置し、その旅券および複数のレシートの画像をＭＦＰ１０に読み取らせる。
【００１７】
ＭＦＰ１０は、旅券および複数のレシートを読取装置で読取り、旅券および複数のレシートの画像データを生成する。
Ｓ１２：ＭＦＰ１０は、生成した旅券および複数のレシートの画像データを光学文字認識（ＯＣＲ）等の解析処理を行い、旅券および複数のレシートに記載された情報を「購入者情報」および「購入物品情報」として記憶部（ＢＯＸ）に記憶する。
【００１８】
Ｓ１３：ＭＦＰ１０は、記憶部（ＢＯＸ）に記憶された「購入者情報」および「購入物品情報」に基づいて「購入記録票」を生成し、印刷装置で印刷する。
Ｓ１４：ＭＦＰ１０は、記憶部（ＢＯＸ）に記憶された「購入者情報」および「購入物品情報」に基づいて「購入者誓約書」を生成し、印刷装置で印刷する。
【００１９】
図１は実施例におけるＭＦＰの構成を示すブロック図である。
図１において、画像形成装置としてのＭＦＰ１０は、制御部１１と、読取装置４１と、操作パネル４２と、印刷装置４３とを有している。
【００２０】
制御部１１は、ＭＦＰ１０のハードウェアの制御や制御プログラム（ソフトウェア）の実行を行い、ＭＦＰ１０全体の動作を制御するものであり、詳細は後述する。
【００２１】
読取装置４１は、ＣＣＤセンサ等を使用したスキャナ装置であり、フラットベッド等の原稿読取台に載置された原稿を読取り、原稿のドットイメージデータを画像データとして生成するものである。本実施例では、読取装置４１は、旅券およびレシートの画像を読取り、旅券およびレシートの画像データを生成する。
【００２２】
操作パネル４２は、図１１に示すように、例えばＬＣＤ（Ｌｉｑｕｉｄ  Ｃｒｙｓｔａｌ  Ｄｉｓｐｌａｙ）やＣＲＴ（Ｃａｔｈｏｄ  Ｒａｙ  Ｔｕｂｅ）等の表示手段４２１を有し、またユーザの入力操作を受付ける操作ボタンやキー、タッチパネル等の入力手段４２２を有するものである。操作パネル４２は、ＭＦＰ１０の装置状態等の各種情報を表示手段４２１に表示し、またファンクションキー、テンキー、ＯＫキー、操作キー、設定キー、クリアキー等の入力手段４２２を備え、ユーザの入力操作を受付ける。
【００２３】
印刷装置４３は、感熱記録方式、電子写真方式等のプリンタ装置であり、印刷媒体に画像を形成して印刷を行うものである。
【００２４】
制御部１１は、システムバス１２と、システム制御部２１と、読取制御部２２と、ＢＯＸ保存部２３と、操作パネル制御部２４と、印刷制御部２５と、印刷データ編集部２６と、ＲＯＭ（Ｒｅａｄ  Ｏｎｌｙ  Ｍｅｍｏｒｙ）３２と、ＲＡＭ（Ｒａｎｄｏｍ  Ａｃｃｅｓｓ  Ｍｅｍｏｒｙ）３３と、ＢＯＸ３４とを有している。
【００２５】
システム制御部２１は、ＣＰＵ（Ｃｅｎｔｒａｌ  Ｐｒｏｃｅｓｓｉｎｇ  Ｕｎｉｔ）等の制御手段を有し、ＭＦＰ１０内の資源を管理し、制御プログラム等の起動や調停を行うものである。
【００２６】
ＲＯＭ３２は、不揮発性のメモリ等の記憶部であり、システム制御部２１によって実行される制御プログラムや制御情報等を予め格納するものである。
ＲＡＭ３３は、メモリ等の記憶部であり、システム制御部２１により制御プログラムが実行される場合に発生する情報を一時的に記憶する記憶部である。
【００２７】
システムバス１２は、システム制御部２１と各部との間の情報の伝送路であり、ハードウェアの制御情報やソフトウェアの制御情報等の各種情報の授受が行われるものである。
ＢＯＸ３４は、不揮発性のメモリ等の記憶部であり、読取装置４１で読み取った原稿に記載された情報等を記憶し、格納するものである。本実施例のＢＯＸ３４は、旅券に記載された購入者情報を記憶し、またレシートに記載された購入物品情報を記憶する。
【００２８】
読取制御部２２は、読取装置４１を制御し、原稿の読取りを行うものである。
【００２９】
抽出部としてのＢＯＸ保存部２３は、読取装置４１で読取った原稿（旅券やレシート）の画像データを解析し、購入者情報や購入物品情報を抽出するものである。本実施例のＢＯＸ保存部２３は、旅券に記載された文字等を認識する文字認識処理を行い、購入者情報を抽出し、またレシートに印刷（記載）された２次元コードの解析処理を行い、購入物品情報を抽出する。
【００３０】
集計部としてのシステム制御部２１は、ＢＯＸ保存部２３がレシートから抽出したそれぞれの購入物品情報を集計する。
操作パネル制御部２４は、操作パネル４２を制御し、ユーザに各種情報を報知し、またユーザからの入力操作を受付けるユーザインタフェースを行うものである。
【００３１】
編集部としての印刷データ編集部２６は、ＢＯＸ３４に記憶された内容を購入記録票や購入者誓約書の形式に従い、印刷データとしてのページ記述言語を生成するものである。即ち、印刷データ編集部２６は、ＢＯＸ保存部２３が抽出した購入者情報およびシステム制御部２１で集計された購入物品情報に基づいて購入記録票および購入者誓約書の印刷データを生成する。
【００３２】
印刷制御部２５は、印刷装置４３を制御し、ページ記述言語で記載された内容を印刷するものである。印刷制御部２５は、印刷内容に応じて適切な印刷媒体を選択するとともに、印刷データを補正して印刷を行う。印刷制御部２５は、印刷データ編集部２６が生成した印刷データに基づいて購入記録票および購入者誓約書を印刷する。
【００３３】
次に、図２のＳ１１からＳ１４に示すＭＦＰの動作の流れを図１および図３を参照しながら詳細に説明する。
【００３４】
図３は実施例における書類の載置位置の説明図である。
図３において、フラットベッド４１１は、ＭＦＰ１０の読取装置４１に備えられた原稿載置台である。
【００３５】
本実施例では、図３に示すように、フラットベッド４１１のＡ４サイズの読取り領域４１２における、図中矢印Ａが示す読取り方向（副走査方向）の上流側の半分の領域に旅券Ｒ１、下流側の半分の領域に２枚のレシートＲ２、レシートＲ３を載置するものとする。
【００３６】
Ｓ１１：ＭＦＰ１０のシステム制御部２１は、例えば図１１に示す操作パネル４２においてスタートキーが押下されたことを検知すると、読取制御部２２および読取装置４１により、原稿の読取を開始する。
ＭＦＰ１０の読取装置４１は、ＣＣＤセンサを読取り方向の上流側から下流側に向けて移動させながらフラットベッド４１１に載置された旅券Ｒ１および２枚のレシートＲ２、レシートＲ３の画像を読取る。
【００３７】
なお、例えば、レシートＲ２は図１２に示す免税店Ａのレシートであり、レシートＲ３は図１２に示す免税店Ｂのレシートである。また、本実施例では、２枚のレシートを読取る例で説明するが、３枚以上のレシートを読取るようにしても良い。
【００３８】
Ｓ１２：ＭＦＰ１０のシステム制御部２１およびＢＯＸ保存部２３は、読取制御部２２および読取装置４１で読み取った旅券Ｒ１の画像を光学文字認識し、旅券Ｒ１に記載された情報である旅券等の種類、番号、在留資格、国籍、上陸年月日、姓名、生年月日をＢＯＸ３４に「購入者情報」として格納する。
【００３９】
また、システム制御部２１およびＢＯＸ保存部２３は、読取制御部２２および読取装置４１で読み取ったレシートＲ２、レシートＲ３の画像の２次元コードを解析し、それぞれのレシートについて販売店氏名／名称、販売場所在地、購入年月日、納税地、所轄税務署、消耗品／一般物品、品名、単価、数量、および販売価額を「購入物品情報」としてＢＯＸ３４に格納する。
【００４０】
このように、システム制御部２１は、読取制御部２２および読取装置４１でフラットベッド４１１に載置された複数のレシートを読み取り、それぞれのレシートに記載された「購入物品情報」をＢＯＸ３４に格納することができる。
【００４１】
Ｓ１３：システム制御部２１は、ＢＯＸ３４に格納された「購入物品情報」に基づいて「購入年月日」および「販売店氏名／名称」、並びに消耗品および一般物品毎に、販売価額の合計価額を集計（算出）して「購入物品集計情報」としてＢＯＸ３４に格納し、その「購入物品集計情報」と、ＢＯＸ３４に格納されている「購入者情報」とを購入記録票として印刷制御部および印刷装置４３により印刷を行う。
【００４２】
Ｓ１４：システム制御部２１は、購入記録票に基づいて購入者誓約書を印刷制御部２５および印刷装置４３により印刷する。
システム制御部２１は、購入者誓約書の印刷が終了するとＢＯＸ３４に格納されている「購入物品情報」、「購入物品集計情報」および「購入者情報」を削除する。
【００４３】
図４は実施例における購入者情報の説明図であり、図１に示すＢＯＸ３４に格納される購入者情報の説明図である。
図４において、購入者情報９０は、旅券等の種類９１と、番号９２と、在留資格９３と、国籍９４と、上陸年月日９５と、姓名９６と、生年月日９７とを有している。
【００４４】
旅券等の種類９１は、購入者が所持する旅券の種類を表すものであり、例えばパスポート等の情報である。
番号９２は、旅券の番号を表すものであり、例えばパスポート番号である。
【００４５】
在留資格９３は、購入者の滞在期間を表すものであり、例えば観光・親族訪問等、日本に短期間滞在する目的の場合は「短期滞在」となる。
国籍９４は、国籍を表すものである。
【００４６】
上陸年月日９５は、日本に上陸した年月日を表すものである。
姓名９６は、購入者の姓名を表すものである。
生年月日９７は、購入者の生年月日（誕生日）を表すものである。
【００４７】
図５は実施例における購入物品情報の説明図であり、図１に示すＢＯＸ３４に格納される購入物品情報の説明図である。
図５において、購入者物品情報７０は、販売店氏名／名称７１と、販売場所在地７２と、購入年月日７３と、納税地７４と、所轄税務署７５と、消耗品／一般物品７６と、品名７７と、単価７８と、数量７９と、販売価額８０とを有している。
【００４８】
販売店識別情報としての販売店氏名／名称７１は、購入者が物品を購入した免税店（店舗）名を表すものである。
販売場所在地７２は、購入者が物品を購入した免税店（店舗）の住所を表すものである。
【００４９】
購入日情報としての購入年月日７３は、購入者が物品を購入した年月日を表すものである。
納税地７４は、消費税を納める納税地を表すものである。
所轄税務署７５は、納税地を所轄する機関を表すものである。
【００５０】
購入物品区分情報としての消耗品／一般物品７６は、購入者が購入した物品が消耗品または一般物品であるかの種別を表すものである。
品名７７は、購入者が購入した物品名を表すものである。
【００５１】
単価７８は、購入者が購入した物品の１個当たりの価格を表すものである。
数量７９は、購入者が購入した物品の数量を表すものである。
販売価額８０は、購入者が購入した物品の価格の合計を表すものである。
【００５２】
図６は実施例における購入物品集計情報の説明図であり、図１に示すＢＯＸ３４に格納される購入物品集計情報の説明図である。
図６において、購入物品集計情報７０１は、上述した販売店氏名／名称７１、販売場所在地７２、購入年月日７３、納税地７４、所轄税務署７５、消耗品／一般物品７６、品名７７、単価７８、数量７９、および販売価額８０と、合計価額８１とを有している。
【００５３】
合計価額８１は、購入物品の店舗毎であって、消耗品および一般物品毎に分類した販売価額の合計金額を表すものである。
【００５４】
上述した構成の作用について説明する。
ＭＦＰが行う処理を図７の実施例におけるＭＦＰの処理の流れを示すフローチャートの図中Ｓが表すステップに従って図１を参照しながら説明する。
【００５５】
ＭＦＰ１０を使用するユーザは、図２に示すＳ１１において、購入者の旅券および複数のレシートを図３に示すようにフラットベッド４１１に載置し、旅券および複数のレシートの読取を開始する入力操作を操作パネル４２で行うものとする。
【００５６】
Ｓ１０１：まず、ＭＦＰ１０のシステム制御部２１は、読取制御部２２および読取装置４１により旅券および複数のレシートの画像を読取る。
【００５７】
システム制御部２１およびＢＯＸ保存部２３は、読取った旅券の画像をＯＣＲ（光学文字認識）処理し、旅券に記載された旅券等の種類、番号、在留資格、国籍、上陸年月日、姓名、および生年月日を購入者情報として抽出する。
【００５８】
Ｓ１０２：システム制御部２１は、抽出した購入者情報をＢＯＸ３４に格納する。ＢＯＸ３４に格納される購入者情報は、例えば図４に示す購入者情報９０である。なお、Ｓ１０２は、図２のＳ１２に対応する処理である。
【００５９】
Ｓ１０３：システム制御部２１およびＢＯＸ保存部２３は、読取ったそれぞれのレシートの画像の２次元コードを解析処理し、それぞれのレシートに記載された販売店氏名／名称、販売場所在地、購入年月日、納税地、所轄税務署、消耗品／一般物品、品名、単価、数量、および販売価額を購入物品情報として抽出する。
【００６０】
Ｓ１０４：システム制御部２１は、抽出した購入物品情報をＢＯＸ３４に格納する。ＢＯＸ３４に格納される購入物品情報は、例えば図５に示す購入物品情報７０である。なお、Ｓ１０４は、図２のＳ１２に対応する処理である。
【００６１】
Ｓ１０５：システム制御部２１および印刷データ編集部２６は、それぞれのレシートから抽出した購入物品情報に基づいて「購入年月日」および「販売店氏名／名称」毎に、消耗品と一般物品の販売価額の合計価額を集計して購入記録票および購入者誓約書を印刷データとして編集する。
【００６２】
Ｓ１０６：システム制御部２１は、印刷制御部および印刷装置４３により購入記録票を印刷する。なお、Ｓ１０６は、図２のＳ１３に対応する処理である。
Ｓ１０７：システム制御部２１は、印刷制御部および印刷装置４３により購入者誓約書を印刷する。なお、Ｓ１０７は、図２のＳ１４に対応する処理である。
Ｓ１０８：システム制御部２１は、購入者誓約書の印刷が終了するとＢＯＸ３４に格納されている「購入物品情報」、「購入物品集計情報」および「購入者情報」を削除し、本処理を終了する。
【００６３】
次に、ＭＦＰが行う購入者情報格納処理を図８の実施例における購入者情報格納処理の流れを示すフローチャートの図中Ｓが表すステップに従って図１および図４を参照しながら説明する。この購入者情報格納処理は図７のＳ１０２においてＭＦＰ１０のシステム制御部２１およびＢＯＸ保存部２３によって行われる処理である。
【００６４】
Ｓ２０１：システム制御部２１は、抽出した購入者情報の「旅券等の種類」をＢＯＸ保存部２３によりＢＯＸ３４の購入者情報９０の旅券等の種類９１に格納する。
Ｓ２０２：システム制御部２１は、抽出した購入者情報の「番号」をＢＯＸ保存部２３によりＢＯＸ３４の購入者情報９０の番号９２に格納する。
Ｓ２０３：システム制御部２１は、抽出した購入者情報の「在留資格」をＢＯＸ保存部２３によりＢＯＸ３４の購入者情報９０の在留資格９３に格納する。
【００６５】
Ｓ２０４：システム制御部２１は、抽出した購入者情報の「国籍」をＢＯＸ保存部２３によりＢＯＸ３４の購入者情報９０の国籍９４に格納する。
Ｓ２０５：システム制御部２１は、抽出した購入者情報の「上陸年月日」をＢＯＸ保存部２３によりＢＯＸ３４の購入者情報９０の上陸年月日９５に格納する。
Ｓ２０６：システム制御部２１は、抽出した購入者情報の「姓名」をＢＯＸ保存部２３によりＢＯＸ３４の購入者情報９０の姓名９６に格納する。
【００６６】
Ｓ２０７：システム制御部２１は、抽出した購入者情報の「生年月日」をＢＯＸ保存部２３によりＢＯＸ３４の購入者情報９０の生年月日９７に格納し、本処理を終了する。
【００６７】
次に、ＭＦＰが行う購入物品情報格納処理を図９の実施例における購入物品情報格納処理の流れを示すフローチャートの図中Ｓが表すステップに従って図１および図５を参照しながら説明する。この購入物品情報格納処理は図７のＳ１０４においてＭＦＰ１０のシステム制御部２１およびＢＯＸ保存部２３によって行われる処理である。また、本処理は読み取ったそれぞれのレシートに対して行われる。
【００６８】
Ｓ３０１：システム制御部２１は、抽出した購入物品情報の「販売店氏名／名称」をＢＯＸ保存部２３によりＢＯＸ３４の購入物品情報７０の販売店氏名／名称７１に格納する。
Ｓ３０２：システム制御部２１は、抽出した購入物品情報の「販売場所在地」をＢＯＸ保存部２３によりＢＯＸ３４の購入物品情報７０の販売場所在地７２に格納する。
【００６９】
Ｓ３０３：システム制御部２１は、抽出した購入物品情報の「購入年月日」をＢＯＸ保存部２３によりＢＯＸ３４の購入物品情報７０の購入年月日７３に格納する。
Ｓ３０４：システム制御部２１は、抽出した購入物品情報の「納税地」をＢＯＸ保存部２３によりＢＯＸ３４の購入物品情報７０の納税地７４に格納する。
【００７０】
Ｓ３０５：システム制御部２１は、抽出した購入物品情報の「所轄税務署」をＢＯＸ保存部２３によりＢＯＸ３４の購入物品情報７０の所轄税務署７５に格納する。
Ｓ３０６：システム制御部２１は、抽出した購入物品情報の「消耗品／一般物品」をＢＯＸ保存部２３によりＢＯＸ３４の購入物品情報７０の消耗品／一般物品７６に格納する。
【００７１】
Ｓ３０７：システム制御部２１は、抽出した購入物品情報の「品名」をＢＯＸ保存部２３によりＢＯＸ３４の購入物品情報７０の品名７７に格納する。
Ｓ３０８：システム制御部２１は、抽出した購入物品情報の「単価」をＢＯＸ保存部２３によりＢＯＸ３４の購入物品情報７０の単価７８に格納する。
【００７２】
Ｓ３０９：システム制御部２１は、抽出した購入物品情報の「数量」をＢＯＸ保存部２３によりＢＯＸ３４の購入物品情報７０の数量７９に格納する。
Ｓ３１０：システム制御部２１は、抽出した購入物品情報の「販売価額」をＢＯＸ保存部２３によりＢＯＸ３４の購入物品情報７０の販売価額８０に格納し、本処理を終了する。
【００７３】
次に、ＭＦＰが行う印刷データ編集処理を図１０の実施例における印刷データ編集処理の流れを示すフローチャートの図中Ｓが表すステップに従って図１を参照しながら説明する。この印刷データ編集処理は図７のＳ１０５においてＭＦＰ１０のシステム制御部２１および印刷データ編集部２６によって行われる処理である。
【００７４】
Ｓ４０１：システム制御部２１は、購入者情報（図４に示す購入者情報９０）をＢＯＸ３４から取得する。
Ｓ４０２：システム制御部２１および印刷データ編集部２６は、取得した購入者情報および購入記録票の形式（フォーマット）に基づいてページ記述言語で記述した購入記録票の印刷データを生成し、ＲＡＭ３３に格納する。
【００７５】
Ｓ４０３：システム制御部２１は、購入物品情報（図５に示す購入物品情報７０）を取得し、取得した購入物品情報を「販売店氏名／名称」、「購入年月日」、および「消耗品／一般物品」毎に、合計価額を集計し、ＢＯＸ３４の購入物品情報（図６に示す購入物品情報７０１の合計価額８１）に格納する。
Ｓ４０４：システム制御部２１は、合計価額を集計した購入物品情報（図６に示す購入物品情報７０１）を取得する。
【００７６】
Ｓ４０５：システム制御部２１および印刷データ編集部２６は、取得した購入物品情報および購入記録票の形式（フォーマット）に基づいてページ記述言語で記述した購入記録票（合計価額を付加した購入記録票）の印刷データを生成し、ＲＡＭ３３に格納する。
【００７７】
システム制御部２１および印刷データ編集部２６は、Ｓ４０２において生成した印刷データをＲＡＭ３３から読み出し、その印刷データに購入物品情報の合計価額を付加して購入記録票の印刷データを生成する。
【００７８】
Ｓ４０６：システム制御部２１および印刷データ編集部２６は、購入記録票および購入者誓約書の形式（フォーマット）に基づいてページ記述言語で記述した印刷データを生成し、ＲＡＭ３３に格納し、本処理を終了する。
【００７９】
このように、本実施例では、ＭＦＰ１０は、非居住者の旅券および複数のレシートを読取装置で読取り、読み取った旅券の画像データから購入者情報を抽出し、また読み取った複数のレシートから購入物品情報を抽出して集計し、さらに抽出した購入者情報および集計した購入物品情報に基づいて購入記録票を作成して印刷するようにしたことにより、非居住者は購入記録票に品名等を記載した複数のレシートを貼付して割印する必要がなくなり、異なる店舗で物品を購入した場合の非居住者の負担を軽減させることができる。
【００８０】
以上説明したように、本実施例では、非居住者は購入記録票に品名等を記載した複数のレシートを貼付して割印する必要がなくなり、異なる店舗で物品を購入した場合の非居住者の負担を軽減させることができるという効果が得られる。
【００８１】
なお、本実施例では、画像形成装置をＭＦＰ（複合機）として説明したが、それに限られるものでなく、スキャナ等の読取装置が接続されたプリンタ装置としても良い。
【符号の説明】
【００８２】
１０  ＭＦＰ
１１  制御部
１２  システムバス
２１  システム制御部
２２  読取制御部
２３  ＢＯＸ保存部
２４  操作パネル制御部
２５  印刷制御部
２６  印刷データ編集部
３２  ＲＯＭ
３３  ＲＡＭ
３４  ＢＯＸ
４１  読取装置
４２  操作パネル
４３  印刷装置
【図１】
2018018135.tif 000003
【図２】
2018018135.tif 000004
【図３】
2018018135.tif 000005
【図４】
2018018135.tif 000006
【図５】
2018018135.tif 000007
【図６】
2018018135.tif 000008
【図７】
2018018135.tif 000009
【図８】
2018018135.tif 000010
【図９】
2018018135.tif 000011
【図１０】
2018018135.tif 000012
【図１１】
2018018135.tif 000013
【図１２】
2018018135.tif 000014